(57)【要約】【課題】価格の変更すなわち、表示していた価格の取り消し操作および変更価格の表示操作を同時に行って、店内での作業性が良好であり、価格値下げおよび販売促進情報の明示により商品の販売促進効果を向上させることができるタグ用販売促進ラベルおよびこれを用いた価格変更方法を提供すること。【解決手段】ラベル本体３を透明基材から構成すること、変更マーク９をあらかじめ印刷したラベルを貼ることに着目したもので、透明基材から構成したラベル本体３は、価格を変更することを明示する変更マーク９を表示するマーク表示領域５と、商品の変更価格１０を表示可能な変更価格表示領域６と、を有するとともに、タグに表示した価格８に変更価格表示領域６を重ね合わせてタグに取り付け可能としたことを特徴とする。【選択図】　　　　図１
2004029364.tif 000002
【特許請求の範囲】
【請求項１】
商品の価格を表示するタグを取り付けた該商品の販売促進を図るためのタグ用販売促進ラベルであって、
前記タグに取り付け可能な透明基材から構成したラベル本体を有し、
このラベル本体は、
前記商品の前記価格を変更することを明示する変更マークを表示するマーク表示領域と、
前記商品の変更価格を表示可能な変更価格表示領域と、を有するとともに、前記タグに表示した前記価格に前記マーク表示領域を重ね合わせて前記タグに取り付け可能としたことを特徴とするタグ用販売促進ラベル。
【請求項２】
前記変更価格表示領域は、前記タグの表面の地色とは異なる地色でこれを印刷してあることを特徴とする請求項１記載のタグ用販売促進ラベル。
【請求項３】
前記変更価格表示領域は、前記マーク表示領域より上段側にこれを配置したことを特徴とする請求項１記載のタグ用販売促進ラベル。
【請求項４】
前記変更価格表示領域は、前記マーク表示領域より下段側にこれを配置したことを特徴とする請求項１記載のタグ用販売促進ラベル。
【請求項５】
前記変更価格表示領域と合同の裏打ち領域を前記ラベル本体に設け、この裏打ち領域および前記変更価格表示領域の間の境界線部分でこの裏打ち領域を折り返して前記変更価格表示領域の裏面側に貼り付け可能としたことを特徴とする請求項４記載のタグ用販売促進ラベル。
【請求項６】
前記変更価格表示領域と前記裏打ち領域との間の前記境界線部分に折返し用ミシン目を形成してあることを特徴とする請求項４記載のタグ用販売促進ラベル。
【請求項７】
商品の価格を表示するタグを取り付けた該商品の販売促進を図るためのタグ用販売促進ラベルを用いた価格変更方法であって、
前記タグに取り付け可能な透明基材から構成した前記タグ用販売促進ラベルのラベル本体に、
前記商品の前記価格を変更することを明示する変更マークを表示するマーク表示領域と、
前記商品の変更価格を表示可能な変更価格表示領域と、を形成するとともに、
この変更価格表示領域に前記変更価格を表示した上で、
前記タグに表示した前記価格に前記マーク表示領域を重ね合わせて前記タグに前記タグ用販売促進ラベルを取り付けることを特徴とするタグ用販売促進ラベルを用いた価格変更方法。
【発明の詳細な説明】
【０００１】
【発明の属する技術分野】
本発明はタグ用販売促進ラベルおよびこれを用いた価格変更方法にかかるもので、とくに下げ札と呼ばれる値札（タグ）を取り付けた商品の販売促進を図ることができるタグ用販売促進ラベルおよびこれを用いた価格変更方法に関するものである。
【０００２】
【従来の技術】
従来から商品の販売促進を行うために、価格の値下げ情報、あるいは「本日特売」や「２０％ＯＦＦ」などの販売促進情報をタグに追加表示ないしは修正表示することが行われている。
こうした販売促進情報を表示するために実際には、商品に取り付けてあるタグの価格を手書きの赤線などで消したり、値引き価格を新たに印字したラベルなどを準備し、これをタグに貼り付けるようにしている。
【０００３】
しかしながら、価格変更作業とは別に、値引き価格を印字したラベルなどを準備することは効率的ではなく、さらにタグに手書きの赤線で価格を変更する作業は、手書きのためのペンを携帯する必要があるなど店内での作業性に劣るとともに、商品の顔となるタグの体裁上も好ましいものではないという問題がある。
【０００４】
さらに、変更された値下げ価格や、各種の販売促進情報自体が、価格変更用の手書きの赤線と、値引き価格を印字したラベルなどとがタグの表面領域内において別々に準備されることになるので、購買者に目立ちにくい。したがって、このタグにより新しい変更価格を表示した商品がセールス対象品ないし値下げ対象商品であることが目立たず、その宣伝効果が低いという問題がある。
【０００５】
【発明が解決しようとする課題】
本発明は以上のような諸問題にかんがみなされたもので、価格の変更を容易にかつ体裁よく行うことができるタグ用販売促進ラベルおよびこれを用いた価格変更方法を提供することを課題とする。
【０００６】
また本発明は、価格の変更すなわち、表示していた価格の取り消し操作および変更価格の表示操作を同時に行って、店内での作業性が良好なタグ用販売促進ラベルおよびこれを用いた価格変更方法を提供することを課題とする。
【０００７】
また本発明は、価格値下げおよび販売促進情報の明示などにより商品の販売促進効果を向上させることができるタグ用販売促進ラベルおよびこれを用いた価格変更方法を提供することを課題とする。
【０００８】
また本発明は、商品の販売を促進することができる各種の情報を目立たせて明示することができるタグ用販売促進ラベルおよびこれを用いた価格変更方法を提供することを課題とする。
【０００９】
また本発明は、商品の販売を促進することができる各種の情報を見栄えがよいとともに視覚効果を出して、購買者の購買意欲を高進可能なタグ用販売促進ラベルおよびこれを用いた価格変更方法を提供することを課題とする。
【００１０】
【課題を解決するための手段】
すなわち本発明は、ラベル本体を透明基材から構成すること、タグに表示してある価格の取り消しを手書きではなく、変更マークをあらかじめ印刷したラベルを貼ることにより明示すること、このラベルには変更価格表示領域を設けることに着目したもので、第一の発明は、商品の価格を表示するタグを取り付けた該商品の販売促進を図るためのタグ用販売促進ラベルであって、上記タグに取り付け可能な透明基材から構成したラベル本体を有し、このラベル本体は、上記商品の上記価格を変更することを明示する変更マークを表示するマーク表示領域と、上記商品の変更価格を表示可能な変更価格表示領域と、を有するとともに、上記タグに表示した上記価格に上記マーク表示領域を重ね合わせて上記タグに取り付け可能としたことを特徴とするタグ用販売促進ラベルである。
【００１１】
第二の発明は、商品の価格を表示するタグを取り付けた該商品の販売促進を図るためのタグ用販売促進ラベルを用いた価格変更方法であって、上記タグに取り付け可能な透明基材から構成した上記タグ用販売促進ラベルのラベル本体に、上記商品の上記価格を変更することを明示する変更マークを表示するマーク表示領域と、上記商品の変更価格を表示可能な変更価格表示領域と、を形成するとともに、この変更価格表示領域に上記変更価格を表示した上で、上記タグに表示した上記価格に上記マーク表示領域を重ね合わせて上記タグに上記タグ用販売促進ラベルを取り付けることを特徴とするタグ用販売促進ラベルを用いた価格変更方法である。
【００１２】
上記変更価格表示領域は、上記タグの表面の地色とは異なる地色でこれを印刷してあることができる。
【００１３】
上記変更価格表示領域は、上記マーク表示領域より上段側にこれを配置することができる。
【００１４】
上記変更価格表示領域は、上記マーク表示領域より下段側にこれを配置することができる。
【００１５】
上記変更価格表示領域と合同の裏打ち領域を上記ラベル本体に設け、この裏打ち領域および上記変更価格表示領域の間の境界線部分でこの裏打ち領域を折り返して上記変更価格表示領域の裏面側に貼り付け可能とすることができる。
【００１６】
上記変更価格表示領域と上記裏打ち領域との間の上記境界線部分に折返し用ミシン目を形成してあることができる。
【００１７】
当該タグ用販売促進ラベルをタグに取り付ける手段としては、ラベル本体の裏面に粘着剤層を設けてタグに貼り付け可能とする構成、あるいはホッチキスなどの止め具による手段、その他任意の手段を採用可能である。
【００１８】
本発明によるタグ用販売促進ラベルおよびこれを用いた価格変更方法においては、タグに表示してある価格の取り消しを手書きにより行うのではなく、商品の価格を変更することを明示する変更マークをあらかじめ印刷などにより表示したマーク表示領域と、商品の変更価格を表示可能な変更価格表示領域と、をラベル本体に設けている。
変更価格表示領域に適宜のプリンターなどにより変更価格などを表示した上で、マーク表示領域をタグの旧価格に重ね合わせて取り付ければ、透明なラベル本体を介してタグの価格がマーク表示領域の変更マークにより取り消されるように表示することができるとともに、変更価格表示領域により変更価格などが表示可能で、価格変更作業および変更価格表示作業を同時に行うことができる。
したがって、商品を陳列している店内における作業性にすぐれ、かつ変更マークなどもあらかじめ印刷などにより表示しておくことができるため、見栄えもよく、体裁良好であって、販売促進効果を向上させることができる。また、変更マークを目立つ色で印刷しておけば、購買者に販売促進商品の値下げをさらにアピールすることができる。
【００１９】
とくに第一の発明によれば、ラベル本体にマーク表示領域および変更価格表示領域を設けているので、上述のように価格変更作業および変更価格表示作業を同時に行うことができるとともに、タグ用販売促進ラベルのタグへの取付けにあたって、変更価格表示領域に適宜のプリンターなどにより変更価格などを印字するだけでよく、その準備作業も簡便である。
【００２０】
とくに第二の発明によれば、マーク表示領域をタグの旧価格に重ね合わせて取り付けるだけで、マーク表示領域の変更マークによりタグの価格を取り消すように表示し、販売促進商品の値下げとともに変更価格などが表示可能で、作業性良好な価格変更方法とすることができる。
【００２１】
【発明の実施の形態】
つぎに本発明の第１の実施の形態によるタグ用販売促進ラベル１およびこれを用いた価格変更方法を図１ないし図３にもとづき説明する。
図１は、タグ用販売促進ラベル１の平面図、図２は、図１のＩＩ−ＩＩ線断面図、図３は、タグ用販売促進ラベル１の使用形態ないし価格変更形態を示す平面図であって、タグ用販売促進ラベル１は、台紙２と、ラベル本体３と、を有する。
【００２２】
台紙２は、帯状に長く、その表面に剥離剤層を有しており、裏面に粘着剤層４（図２）を有するラベル本体３を仮着している。
【００２３】
ラベル本体３は、ＰＥＴフィルム、パラフィン紙、その他の透明基材からこれを構成し、マーク表示領域５と、変更価格表示領域６と、を有する。
【００２４】
マーク表示領域５は、タグ７（図３）に印字してある商品の旧価格８（図３）を変更することを明示する旧価格変更領域であり、たとえばチェックマーク、二本線取消しマークあるいはバツマークその他の変更マーク９をあらかじめ印刷して表示している。
【００２５】
変更マーク９は、タグ７の表面の地色（たとえば白色）とは異なる目立つ色（たとえば赤色）でこれを印刷してあり、透明なラベル本体３を通して反対側の文字（旧価格８）などが透けて見えるとともに、これらが互いに重ね合わさるようになっている。
【００２６】
変更価格表示領域６は、商品価格の変更後の変更価格１０（図３）を表示可能であり、タグ７の表面の地色（たとえば白色）とは異なる地色（たとえば黄色）でこれを印刷してある。
【００２７】
こうした構成のタグ用販売促進ラベル１において、図３に示すように、タグ用販売促進ラベル１（ラベル本体３）の変更価格表示領域６部分に新しい変更価格１０を所定のプリンター（図示せず）により印字するとともに、ラベル本体３を台紙２から剥離して、タグ７の商品の旧価格８部分にマーク表示領域５の変更マーク９が重ね合わさるようにタグ７に貼り付ける。
【００２８】
したがって、タグ７に印字されている商品の旧価格８、たとえば３９００円がマーク表示領域５の変更マーク９により取り消されていること、および変更価格１０が、たとえば３０００円であることを同時かつ簡単に表示することができる。
【００２９】
なお、マーク表示領域５および変更価格表示領域６の相対位置関係は任意であり、いずれかが上下あるいは左右に位置するようにしても構わない。変更価格表示領域６をマーク表示領域５より下段側に配置した場合には、変更価格表示領域６をタグ７の領域外に突出させるようにタグ７に取り付けることにより宣伝効果を向上させることもできる。
さらに、タグ用販売促進ラベル１としては、ラベル本体３に粘着剤層４を形成せず貼り付けではなく、ホッチキスなどの他の手段により取り付け可能な形態とすることもでき、あるいは台紙２を使用しないで貼り付け可能な台紙なしラベルの形態としても提供可能である。
【００３０】
図４は、本発明の第２の実施の形態によるタグ用販売促進ラベル２０の平面図、図５は、図４のＶ−Ｖ線断面図、図６は、タグ用販売促進ラベル２０の使用形態ないし価格変更形態を示す平面図であって、タグ用販売促進ラベル２０は、前記台紙２およびラベル本体３を有し、ラベル本体３には、前記マーク表示領域５および変更価格表示領域６に加えて、広告表示領域２１と、裏打ち領域２２と、を形成してある。
【００３１】
広告表示領域２１は、タグ７の表面の地色とは異なる目立つ地色（たとえば赤色）による明示枠２３で縁取り印刷してあるとともに、この明示枠２３の内側に商品について各種広告文字などによる広告情報２４（図６、たとえば「本日特売！」）を前記プリンター（図示せず）により、目立つ赤色などで印字して表示可能としてある。
なお、広告情報２４を表示する明示枠２３の内側には、必要であれば、広告情報２４の色、さらに明示枠２３の色とのコントラストが良好な任意の地色（たとえば白色）を印刷しておくことができる。
さらに、広告表示領域２１は、タグ７の表面の地色とは異なる目立つ地色（たとえば赤色）により全面印刷することもでき、この全面印刷した面に広告情報２４の色、例えば全面印刷との色とのコントラストが良好な任意の色（たとえば黒色）を印字して表示可能としてある。
【００３２】
裏打ち領域２２は、広告表示領域２１と同じ形状および同じ大きさ、すなわち合同であって、広告表示領域２１に隣合って、図示の例ではその下段側にこれを位置してあるとともに、広告表示領域２１と裏打ち領域２２との間の境界線部分に折返し用ミシン目２５を形成してある。
この裏打ち領域２２にも、明示枠２３とのコントラストが良好な任意の地色（たとえば白色）を印刷しておくことができる。
この裏打ち領域２２は、これを折返し用ミシン目２５の部分において折り返し、広告表示領域２１の裏面側に貼り付け可能としてある。
【００３３】
こうした構成のタグ用販売促進ラベル２０において、図６に示すように、タグ用販売促進ラベル２０（ラベル本体３）の変更価格表示領域６に新しい変更価格１０を、また、広告表示領域２１に広告情報２４（図６、「本日特売！」）を、所定のプリンター（図示せず）によりそれぞれ印字するとともに、ラベル本体３を台紙２から剥離して、タグ７の商品の旧価格８部分にマーク表示領域５の変更マーク９が重ね合わさるように、また広告表示領域２１および裏打ち領域２２がタグ７の領域から外方に突出するように、タグ７に貼り付ける。
【００３４】
さらに、図６の断面図に示すように、折返し用ミシン目２５の部分において、裏打ち領域２２を折り返して広告表示領域２１の裏面側に貼り付けておくことにより、広告表示領域２１におけるその裏面の粘着剤層４が他の部分に貼り付くことを防止可能であるとともに、たとえば白色の裏打ち領域２２により広告情報２４をさらに浮き出させることができる。
【００３５】
図７は、本発明の第３の実施の形態によるタグ用販売促進ラベル３０の平面図、図８は、図７のＶＩＩＩ−ＶＩＩＩ線断面図、図９は、タグ用販売促進ラベル３０の使用形態ないし価格変更形態を示す平面図であって、タグ用販売促進ラベル３０は、前記台紙２およびラベル本体３を有し、ラベル本体３には、前記マーク表示領域５、変更価格表示領域６、広告表示領域２１および裏打ち領域２２に加えて、バーコード表示領域３１を形成してある。
【００３６】
バーコード表示領域３１は、変更価格表示領域６に新たに印字して表示した変更価格１０およびその関連情報に対応したバーコード情報３２（図９）あるいはその他の情報を表示可能である。
【００３７】
こうした構成のタグ用販売促進ラベル３０においても、既述のタグ用販売促進ラベル１（図１）およびタグ用販売促進ラベル２０（図４）と同様に、各種の販売促進情報を簡単に表示して商品の販売促進に寄与可能であるとともに、商品の変更価格１０に関する情報を機械的に読み取り可能として売上処理の効率化にも寄与することができる。
【００３８】
図１０は、本発明の第４の実施の形態によるタグ用販売促進ラベル４０の平面図、図１１は、図１０のＸＩ−ＸＩ線断面図、図１２は、タグ用販売促進ラベル４０の使用形態ないし価格変更形態を示す平面図であって、タグ用販売促進ラベル４０は、前記台紙２およびラベル本体３を有し、ラベル本体３には、前記マーク表示領域５、変更価格表示領域６および広告表示領域２１に加えて、前記裏打ち領域２２と同様の第１の裏打ち領域４１および第２の裏打ち領域４２を形成してある。
【００３９】
第１の裏打ち領域４１および第２の裏打ち領域４２は、それぞれ広告表示領域２１および変更価格表示領域６と合同であって、折返し用ミシン目２５の部分で折り返してそれぞれの裏面に貼り付け可能としてある。
【００４０】
こうした構成のタグ用販売促進ラベル４０においても、既述のタグ用販売促進ラベル１（図１）、タグ用販売促進ラベル２０（図４）およびタグ用販売促進ラベル３０（図７）と同様に、各種の販売促進情報を簡単に表示して商品の販売促進に寄与可能であるとともに、マーク表示領域５のみをタグ７に貼り付ければよいので、貼付け操作（取付け操作）自体が容易であるとともに、タグ７の領域外に突出する領域が変更価格表示領域６および広告表示領域２１であり、販売促進情報をより効果的に表示することができる。
【００４１】
なお本発明においては、変更マーク９を有するマーク表示領域５以外の変更価格表示領域６、広告表示領域２１、バーコード表示領域３１には、例示した販売促進情報に限らず、商品の変更価格９をはじめ、たとえば「本日特売！」の各種広告文字などによる広告情報２４あるいはバーコード情報３２などそれぞれ任意の販売促進情報を表示することができる。たとえば、広告表示領域２１の明示枠２３内に変更価格１０を表示しても構わない。
また、広告表示領域２１および裏打ち領域２２の対となる領域（図４、図７）、あるいは第１の裏打ち領域４１および第２の裏打ち領域４２と広告表示領域２１および変更価格表示領域６との対となる領域（図１０）は、それぞれ互いに隣合っていてラベル本体３の端部に位置している必要があるが、それぞれの領域５、６、２１、３１の互いの相対位置関係は任意である。
【００４２】
【発明の効果】
以上のように本発明によれば、変更マークを有するマーク表示領域および変更価格などを表示可能な変更価格表示領域を設けたので、価格の変更作業および変更価格の表示作業を同時に行うことができて作業性にすぐれているとともに、見栄えよく購買者の購買意欲を高めて販売促進に寄与することができる。
【図面の簡単な説明】
【図１】本発明の第１の実施の形態によるタグ用販売促進ラベル１の平面図である。
【図２】図１のＩＩ−ＩＩ線断面図である。
【図３】同、タグ用販売促進ラベル１の使用形態ないし価格変更形態を示す平面図である。
【図４】本発明の第２の実施の形態によるタグ用販売促進ラベル２０の平面図である。
【図５】図４のＶ−Ｖ線断面図である。
【図６】同、タグ用販売促進ラベル２０の使用形態ないし価格変更形態を示す平面図である。
【図７】本発明の第３の実施の形態によるタグ用販売促進ラベル３０の平面図である。
【図８】図７のＶＩＩＩ−ＶＩＩＩ線断面図である。
【図９】同、タグ用販売促進ラベル３０の使用形態ないし価格変更形態を示す平面図である。
【図１０】本発明の第４の実施の形態によるタグ用販売促進ラベル４０の平面図である。
【図１１】図１０のＸＩ−ＸＩ線断面図である。
【図１２】同、タグ用販売促進ラベル４０の使用形態ないし価格変更形態を示す平面図である。
【符号の説明】
１　タグ用販売促進ラベル（第１の実施の形態、図１）
２　台紙
３　ラベル本体
４　粘着剤層
５　マーク表示領域（旧価格変更領域）
６　変更価格表示領域
７　タグ（図３、図６、図９）
８　商品の旧価格（たとえば、３９００円）
９　変更マーク
１０　商品の変更価格（たとえば、３０００円）
２０　タグ用販売促進ラベル（第２の実施の形態、図４）
２１　広告表示領域
２２　裏打ち領域
２３　広告表示領域２１の明示枠
２４　広告情報（各種広告文字などによる、たとえば「本日特売！」）
２５　折返し用ミシン目
３０　タグ用販売促進ラベル（第３の実施の形態、図７）
３１　バーコード表示領域
３２　バーコード情報
４０　タグ用販売促進ラベル（第４の実施の形態、図１０）
４１　第１の裏打ち領域
４２　第２の裏打ち領域
【図１】
2004029364.tif 000003
【図２】
2004029364.tif 000004
【図３】
2004029364.tif 000005
【図４】
2004029364.tif 000006
【図５】
2004029364.tif 000007
【図６】
2004029364.tif 000008
【図７】
2004029364.tif 000009
【図８】
2004029364.tif 000010
【図９】
2004029364.tif 000011
【図１０】
2004029364.tif 000012
【図１１】
2004029364.tif 000013
【図１２】
2004029364.tif 000014